(57)【特許請求の範囲】
【請求項１】
便座と、
トイレ室の床に固定された便器と、
前記便器内面を洗浄する洗浄水を蓄える貯水タンクと、
前記便器を洗浄した後の洗浄水を排水する排水水路と、
前記便器を床と固定するための固定部と、を備え、
前記便器の側面であって、前記排水水路をその側面から覆うように化粧板を配設し、
前記化粧板は、前記便器の側面と略同一面となるよう前記便器の後方または、側方から差し込んで配置されるとともに、
前記化粧板の下部は、前記便器の側面に沿って内方に突出し、その突出部には、前記便器の側面を、前記固定部を挟み込んでスライドできるよう溝が形成されている、トイレ装置。
【請求項２】
前記化粧板の材質は、前記便器と同質材料である、請求項１記載のトイレ装置。
【請求項３】
前記化粧板は、前記便器の前記固定部を前記便器の側面から隠すよう配設されている、請求項１または２に記載のトイレ装置。
【請求項４】
前記化粧板は、前記便器の後方より、スライド挿入する事により配設されている、請求項１から３のいずれか１項に記載のトイレ装置。
【請求項５】
前記排水水路は、前記便器後方に位置し、
前記固定部は、前記便器の後方側部を窪ませることにより前記排水水路の外郭まで達する空間部を形成するような形状で設けられている、請求項１から４のいずれか１項に記載のトイレ装置。
【請求項６】
内方に突出した側の前記溝の側面の一部に前記固定部が通過する大きさに切り欠きが設けられている、請求項１から５いずれか１項に記載のトイレ装置。
【請求項７】
内方に突出した側の前記溝の側面の高さは、他の側面の高さ以下となっている、請求項１から６のいずれか１項に記載のトイレ装置。
【請求項８】
前記化粧板の上部には、前記便器の側面に沿って内方に突出した段差が設けられ、
その先端部が前記便器の側面に形成された凹部にはまりこむよう形成されている、請求項１から７のいずれか１項に記載のトイレ装置。
【請求項９】
前記化粧板の上部に設けられた前記段差は、その先端部を包み込むよう弾性体で覆われている、請求項８に記載のトイレ装置。
【請求項１０】
前記化粧板の上部に設けられた前記段差の内側の側面と前記便器の凹部との間に設けられた弾性体は、前記便器の凹部内面と点接触するよう構成されている、請求項９に記載のトイレ装置。
【請求項１１】
前記弾性体は、前記化粧板の上部の一部を覆うよう形成されている、請求項９または１０に記載のトイレ装置。
【発明の詳細な説明】
【０００１】
【発明の属する技術分野】
本発明は、トイレ室に設置するトイレ装置に関するものである。
【０００２】
【従来の技術】
従来、トイレ装置は、図１０（Ａ）・図１０（Ｂ）に示すように、便器１の上に人が用便をするために座る便座２と便器内面を洗浄するための洗浄水４を溜める貯水タンク３（便座と貯水タンクが一体となった便器一体型もある）を備えている。貯水タンクの内部にある弁５を開放すると貯水タンク３に貯えている洗浄水が洗浄水路６を流れ、射水口７から便器１の洗浄面８に流れ、排水水路９を経由して汚物が便器より排出されるものである。便器１は、床１０と固定するために便器１後方に固定部１１を設けている。この固定部１１は、便器１後方側部の一部を窪ませて排水水路９の外郭１３まで空間部１２を形成している。この空間部１２は、便器１と床１０の固定工事を容易にさせるための施工スペースである。
【０００３】
【発明が解決しようとする課題】
しかしながら、上記の構成では、便器１と床１０との固定のため、便器１後方側部の一部を窪ませて、排水水路９の外郭１３まで空間部１２を形成し、固定工事を容易にさせる施工スペースを確保しなければならなかった。このため便器１後方は、複雑な凹凸や固定部１１の凸部周囲にホコリが付着したり溜まったりし易い構造となっていた。更に、このホコリや汚れを掃除しようとしても、狭いトイレスパースの中で便器１の複雑な形状部を掃除することは、極めて困難なものであった。
【０００４】
本発明は、便器１の後方部にホコリが付着したり溜まったりしにくくすると共に、狭いトイレでの掃除性を向上させることを目的とするものである。
【０００５】
【課題を解決するための手段】
この課題を解決するために本発明は、便器の側面であって、便器の排水水路をその側面から覆うように化粧板を配設し、前記化粧板は、便器側面と略同一面となるよう便器後方または、側方から差し込んで配置するトイレ装置とした。このトイレ装置においては、前記化粧板の下部は、前記便器側面に沿って内方に突出し、その突出部には、前記便器の側面を、前記固定部を挟み込んでスライドできるよう溝が形成されている構成となっている。
【０００６】
この構成により、便器の固定部がガイドとなり、化粧板を簡単にスライド取り付けすることができ、また、便器側面と化粧板が略同一面となることで、便器の前面前方から側方後方まで、シンプルな球面状となる。従って、便器の側方に極端な凹凸ができないのでホコリが付きにくく、溜まりにくいものである。更に、便器前方から後方まで略同一面なので掃除性が極めてよくなるものである。更に、化粧板の溝と固定部がはまり合うことにより、便器と化粧板をより強固に固定することができる。
【０００７】
【発明の実施の形態】
本発明に係るトイレ装置は、便座と、トイレ室の床に固定された便器と、前記便器内面を洗浄する洗浄水を蓄える貯水タンクと、前記便器を洗浄した後の洗浄水を排水する排水水路を備え、前記便器の側面であって、前記排水水路をその側面から覆うように化粧板を配設し、前記化粧板は、便器側面と略同一面となるよう便器後方または、側方から差し込んで配置するよう構成され、前記化粧板の下部が、便器側面に沿って内方に突出し、その突出部には、便器側面を便器の固定部を挟み込んでスライドできるよう溝が形成されている。
【０００８】
この構成により、便器の固定部がガイドとなり、化粧板を簡単にスライド取り付けすることができ、また、便器側面と化粧板が略同一面となることで、便器の前面前方から側方後方まで、シンプルな球面状となる。従って、便器の側方に極端な凹凸ができないのでホコリが付きにくく、溜まりにくいものである。更に、便器前方から後方まで略同一面なので掃除性が極めてよくなるものである。更に、化粧板の溝と固定部がはまり合うことにより、便器と化粧板をより強固に固定することができる。
【０００９】
本発明においては、前記構成に加えて、化粧板の材質を便器と同質材料にした構成であることが好ましい。これにより、便器の色と化粧板の色ズレを防止し、便器全体のデザイン性向上を図ったものである。
【００１０】
本発明においては、前記構成に加えて、化粧板は、便器の固定部を便器側面から隠すよう配設されている構成であることが好ましい、これにより、便器正面及び側方から見たデザイン性の向上を図ると共に、トイレ用洗浄剤などが直接固定部に付着しないようにでき、トイレ用洗浄剤による固定部の腐食劣化を大幅に防止できるものである。
【００１１】
本発明においては、前記構成に加えて、化粧板は便器後方よりスライド挿入できるよう構成されていることが好ましい。これにより、狭いトイレでも便器に沿わせながら化粧板が手探りで簡単に取り付け出来るものである。しかも、スライド部で保持できるため、側方に倒れて脱落しない構成となる。
【００１２】
本発明においては、前記構成に加えて、前記排水水路は、前記便器後方に位置し、前記固定部は、前記便器の後方側部を窪ませることにより前記排水水路の外郭まで達する空間部を形成するような形状で設けられている構成であることが好ましい。これにより、排水水路が位置する便器の後方において便器側面と化粧板が略同一面となるので、便器の後方にホコリが付着したり溜まったりしにくくすると共に、狭いトイレでの掃除性を向上させることができる。
【００１３】
本発明においては、前記構成に加えて、内方に突出した側の溝の側面の一部に、固定部が通過する大きさの切り欠きを設けるよう構成されていることが好ましい。これにより、非常に狭いトイレでも、便器後部の側方から便器の固定部に挿入し、化粧板を前方にスライドさせることで便器と化粧板の固定が簡単できる。
【００１４】
本発明においては、前記構成に加えて、内方に突出した側の溝の側面の高さは、他の側面の高さ以下とするよう構成されていることが好ましい。これにより、便器固定部の抜き勾配によって生じる傾斜があっても、化粧板と便器の嵌合がスムーズになる。
【００１５】
本発明においては、前記構成に加えて、化粧板の上部に、便器の側面に沿って内方に突出した段差を設け、その先端部が便器側面に形成された凹部にはまりこむよう形成された構成とすることが好ましい。これにより、化粧板は、便器側方から斜めに嵌合ができ、簡単に固定ができる。
【００１６】
本発明においては、前記構成に加えて、化粧板の段差は、その先端部を包み込むよう弾性体で覆うよう構成されていることが好ましい。これにより、便器と化粧板固定後の嵌合ガタツキや振動音防止ができる。
【００１７】
本発明においては、前記構成に加えて、化粧板上部に設けられた段差の先端部と便器の凹部との間に設けられた弾性体は、便器の凹部内面と点接触するような単数または複数のリブで構成されていることが好ましい。これにより、便器と化粧板嵌合時のスライド移動の抵抗が少なく、僅かな力でスライドさせる事ができて施工が容易になる。
【００１８】
本発明においては、前記構成に加えて、弾性体は、化粧板上部の一部を覆うよう形成するよう構成されていることが好ましい。これにより、高価な弾性体材料であっても部分的に使用することにより、材料使用料を削減させ低コストで提供できるものである。
【００１９】
【実施例】
以下、本発明の実施例を、図面を用いて説明する。
【００２０】
（実施例１）
図１は、本発明のトイレ装置の斜視図。図２（Ａ）は、本発明の側面図。図２（Ｂ）は、本発明の図２（Ａ）のＡーＡ断面図である。図１・図２（Ａ）・図２（Ｂ）において、従来例と同一部品については、同一番号を付しており、動作・機能については、同様であるので相違点のみ説明を加えることにする。便器１の側面であって、便器１の排水水路９をその側面から覆うように化粧板１４を配設し、前記化粧板１４は、便器１側面と略同一面となるよう便器１後方または、側方から差し込んで配置する構成とし、便器１側面と化粧板１４が略同一面となるようにした。このことによって、便器１の前面前方から側方後方まで、シンプルな球面状のほぼ同一面となり、便器１の側方に極端な凹凸ができなくなった。従って、球面のためホコリが付きにくく、溜まりにくいものである。更に、便器１前方から後方まで略同一面なので、掃除道具、例えば雑巾で汚れを拭き取る場合でも、凹凸の少ない面を拭き取ることになるので極めて掃除性が良いものである。
【００２１】
しかも、本実施例では、図３（Ａ）・図３（Ｂ）に示すように、化粧板１４下部が、便器１側面に沿って内方に突出し、その突出部１４ａには、便器１側面を便器１の固定部１１を挟み込んでスライドできるよう溝１４ｂを形成するものである。このことにより、化粧板１４は、便器１に固定部１１をガイドとして沿わせながら簡単に取り付けができるものである。更に、化粧板１４の溝１４ｂと固定部１１がはまり合うことにより、便器１と化粧板１４をより強固に固定することができる。
【００２２】
（実施例２）
図１において、化粧板１４の材質を便器１材質と同質材料にしたものである。例えば、便器１を陶器製とすれば、化粧板１４も陶器製にすると、便器１の色と化粧板１４の色がマッチして視覚的に見映えがよくなり、便器１全体のデザイン性が向上するものである。なお、材料事例に陶器製を記載したがプラスチックやセラミックなど、他の材料であっても同様の効果が得られる。
【００２３】
（実施例３）
図２（Ａ）・図２（Ｂ）において、化粧板１４は、便器１の固定部１１を便器１側面から隠すよう配設したものである。このことにより、便器１正面及び側方から見たデザイン性の向上が図れると共に、腐食性の高いトイレ用洗浄剤などが直接固定部１１に飛散して付着しないため、二次的な効果として、トイレ用洗浄剤による固定部１１の腐食劣化を防止する効果がある。
【００２４】
（実施例４）
図３（Ａ）・図３（Ｂ）において、化粧板１４は便器１後方より、スライド挿入できる構成とした。このことにより、狭いトイレでも便器１に沿わせながら化粧板１４が手探りで簡単に取り付け出来るものである。しかも、スライド部で保持できるため、側方に倒れて脱落しない構成となる。
【００２５】
（実施例５）
図２（Ａ）において、排水水路９は、便器１後方に位置し、固定部１１は、便器１の後方側部を窪ませることにより排水水路９の外郭まで達する空間部を形成するような形状で設けられている。そして、図１、図２（Ａ）・図２（Ｂ）において、化粧板１４は、便器１の側面と略同一面となるよう構成され、図３（Ａ）・図３（Ｂ）において、化粧板１４は便器１の後方から固定部１１に差し込まれて配置されている。化粧板１４は側方から固定部１１に差し込まれてもよい。このことにより、便器１の後方において便器１側面と化粧板１４が略同一面となるので、便器１の後方にホコリが付着したり溜まったりしにくくなり、狭いトイレでの掃除性を向上させることができる。
【００２６】
（実施例６）
図４において、化粧板１４下部の内方に突出した側の溝１４ｂの側面１４ｃの一部に固定部１１の頭１１ａが通過する大きさに切り欠き１４ｄを設けるようにした。（Ａ寸法＞Ｂ寸法）このことにより、非常に狭いトイレでも、便器１後部の側方から便器１の固定部１１に挿入し、化粧板１４を前方にスライドさせることで、便器１と化粧板１４の取り付け、取り外しが簡単できるものである。
【００２７】
（実施例７）
図５において、化粧板１４下部の内方に突出した側の溝１４ｂの側面１４ｄの高さｈ１は、他の側面１４ｅの高さｈ２以下にした。このことにより、便器固定部１ａの抜き勾配によって生じる傾斜Ｔがあっても、化粧板１４と便器１の嵌合がスムーズになる。
【００２８】
（実施例８）
図６において、化粧板１４の上部は、便器１の側面１ｂに沿って内方に突出した段差Ｄを設け、その先端部１４Ｊが便器１の側面１ｂに形成された凹部１ｃにはまりこむように形成した。このことにより、化粧板１４は、便器１側方から斜めに嵌合ができ、便器１に化粧板１４を簡単に固定することができる。
【００２９】
（実施例９）
図７において、化粧板１４の段差Ｄは、その先端部１４Ｊを包み込むよう弾性体１６で覆うようにした。このことにより、弾性体１６（例えばゴム・プラスチック等弾性を有する材料）の弾性力により、便器１と化粧板１固定後の嵌合ガタツキを吸収して振動音防止ができるものである。
【００３０】
（実施例１０）
図８において、化粧板１４上部に設けられた段差Ｄの先端部１４Ｊと便器１の凹部１ｃとの間に設けられた弾性体１６は、便器１の凹部１ｃ内面と点接触するよう構成された単数または、複数のリブ１６ａを構成するようにした。このことにより、便器１と化粧板１４嵌合時のスライド移動する接触抵抗が点または、線接触になるため非常に小さくなる。従って、僅かな力で化粧板１４をスライドさせる事ができるものである。
【００３１】
（実施例１１）
図９において、弾性体１６は、化粧板１４上部の先端部１４Ｊの一部を単数または複数で覆うよう形成した。このことにより、高価な弾性体材料であっても部分的に使用（弾性体が必要とする部分のみ）することにより、材料使用料を削減させ低コストで提供できるものである。
【００３２】
【発明の効果】
以上のように本発明によれば、便器側面と化粧板が略同一面となることで、便器の前面前方から側方後まで、シンプルな球面状となる。従って、便器の側方に極端な凹凸ができないのでホコリが付きにくく、溜まりにくいものである。更に、便器前方から後方まで略同一面なので掃除性が極めてよくなるものである。
【図面の簡単な説明】
【図１】  本発明の実施例１・２・３におけるトイレ装置の斜視図
【図２】  （Ａ）本発明の実施例１・２・３におけるトイレ装置の右側面図
（Ｂ）同トイレ装置の図２（Ａ）のＡーＡ断面図
【図３】  （Ａ）本発明の実施例４・５におけるトイレ装置要部の右側面図
（Ｂ）同トイレ装置要部の背面図
【図４】  本発明の実施例６におけるトイレ装置要部の斜視図
【図５】  本発明の実施例７におけるトイレ装置要部の背面図
【図６】  本発明の実施例８におけるトイレ装置要部の背面図
【図７】  本発明の実施例９におけるトイレ装置要部の背面図
【図８】  本発明の実施例１０におけるトイレ装置要部の背面図
【図９】  本発明の実施例１１におけるトイレ装置要部の斜視図
【図１０】  （Ａ）従来例のトイレ装置における右側面図
（Ｂ）従来例のトイレ装置における背面図
【符号の説明】
１  便器
２  便座
３  貯水タンク
４  洗浄水
５  弁
６  洗浄水路
７  射水口
８  洗浄面
９  排水水路
１０  床
１１  固定部
１２  空間部
１３  外郭
１４  化粧板
１６  弾性体
【図１】
0004384367.tif 000002
【図２】
0004384367.tif 000003
【図３】
0004384367.tif 000004
【図４】
0004384367.tif 000005
【図５】
0004384367.tif 000006
【図６】
0004384367.tif 000007
【図７】
0004384367.tif 000008
【図８】
0004384367.tif 000009
【図９】
0004384367.tif 000010
【図１０】
0004384367.tif 000011